(57)【要約】      （修正有）【課題】フレキシブルフラットケーブルに適用されるコネクタを提供する。【解決手段】フレキシブルフラットケーブルには、ギャップが形成される。コネクタ１０は、オスプラグ１２と、メスソケット１４及び電気端子１６を備える。オスプラグは、第１の筐体及び第２の筐体を含む。第１の筐体の表面にはギャップをロックするためのロック部材が形成され、第１の筐体の側辺には突起を有する留め具が形成される。メスソケットには、第２の収容空間及び係合アームが形成される。電気端子は、一端が第２の収容空間に設けられ、他端が第２の収容空間から突出される。オスプラグとメスソケットとの接合の過程で、オスプラグの突起は係合アームに当たって、突起が係合アームの開口に挿入されるまで係合アームを第１の位置から第２の位置までに移動させる。【選択図】図１
0003228088.tif 000002
【実用新案登録請求の範囲】
【請求項１】
前縁の両側にはそれぞれギャップが形成されたフレキシブルフラットケーブルに適用されるコネクタであって、
前記フレキシブルフラットケーブルを収容するための第１の収容空間を形成するために接合された第１の筐体と第２の筐体とを有するオスプラグと、
第２の収容空間と係合アームとが形成されたメスソケットと、
一端が前記第２の収容空間に設けられ、他端が前記第２の収容空間から突出される電気端子と
を備え、
前記第１の筐体の表面には前記ギャップをロックするためのロック部材が形成され、前記第１の筐体の側辺には留め具が形成され、前記留め具の内縁には突起が突出され、
前記第２の収容空間の両側には、それぞれ前記係合アームが設けられ、前記係合アームには、開口が形成され、
前記オスプラグと前記メスソケットとの接合の過程で、前記オスプラグの前記突起は前記係合アームに当たって、前記突起が前記開口に挿入されるまで前記係合アームを先ず第１の位置から第２の位置までに移動させ、前記係合アームは、前記第２の位置から前記第１の位置に戻して、又は前記第１の位置から前記第２の位置に移動して、前記オスプラグを前記メスソケットから離脱させることを特徴とするコネクタ。
【請求項２】
前記ロック部材は弾性片であり、
前記弾性片は、一端が前記表面に接続され、自由端が前記表面から１つの角度で前記第１の収容空間に向かって延びることを特徴とする請求項１に記載のコネクタ。
【請求項３】
前記弾性片は、第１の弾性片と第２の弾性片の２つの弾性片であり、
前記第１の弾性片の自由端と前記第２の弾性片の自由端とは、それぞれが反対方向に延びることを特徴とする請求項１に記載のコネクタ。
【請求項４】
前記第１の弾性片の自由端と前記第２の弾性片の自由端とは、それぞれが前記ギャップを制限することを特徴とする請求項１に記載のコネクタ。
【請求項５】
前記第１の弾性片の自由端の末端と前記第２の弾性片の自由端の末端との間の長さは、前記ギャップの長さ以下であることを特徴とする請求項１に記載のコネクタ。
【請求項６】
前記係合アームの一端は前記メスソケットに固定されることを特徴とする請求項１に記載のコネクタ。
【請求項７】
前記突起は三角体であり、
前記三角体は、底辺が前記留め具の内縁の表面に設けられることを特徴とする請求項６に記載のコネクタ。
【請求項８】
前記三角体は、頂角が前記係合アームと接触されて、前記係合アームの自由端が前記第１の収容空間に向かって移動することを特徴とする請求項７に記載のコネクタ。
【請求項９】
前記メスソケットの両側における前記係合アームの自由端は、前記第１の収容空間に向かって移動する時に、前記突起が前記開口からロック解除されることを特徴とする請求項１に記載のコネクタ。
【請求項１０】
前記第１の筐体と前記第２の筐体とは、一体成型された部材であってもよい、別体の部材であってもよいことを特徴とする請求項１に記載のコネクタ。
【考案の詳細な説明】
【技術分野】
【０００１】
本考案は、コネクタの技術分野に関わり、特にフレキシブルフラットケーブルに適用されるコネクタに関するものである。
【背景技術】
【０００２】
従来、フレキシブルフラットケーブルは、信号伝送用に使用され、その自体は、自由に撓むことができる、及び高周波信号の伝送能力などのメリットを有するため、自動車、家電、ディスプレイ、スマートフォンなどの製品分野に適用される。
【考案の概要】
【考案が解決しようとする課題】
【０００３】
フレキシブルフラットケーブルは、オスプラグを介して回路基板に設けられたメスソケットに接続される。組み立て作業の過程で、回路基板やフレキシブルフラットケーブルを破損することなく、組み立て者が容易に組み立てられるように、多くのタイプの接続方式が開発されており、接続方式には、自動ロックの構造に伴い、他の応用でも同時にロック解除の構造を提供する必要がある。
【０００４】
本考案は、組み立て者が迅速な組み立てや取り外しを行うことができるコネクタを提供する。
【課題を解決するための手段】
【０００５】
本考案の第一の目的は、フレキシブルフラットケーブルに適用され、フレキシブルフラットケーブルを自由に回路基板に取り付けたり、回路基板から取り外すことができるコネクタを提供する。
【０００６】
本考案の第二の目的は、前記コネクタにより、オスプラグのロック部材でフレキシブルフラットケーブルをオスプラグに係合できる。
【０００７】
本考案の第三の目的は、前記コネクタにより、オスプラグをメスソケットにロックするために、突起を有する留め具がメスソケットの係合アームに接合される。
【０００８】
本考案の第四の目的は、前記コネクタにより、留め具を容易に係合アームに接合してロックするために、斜面を有する突起は係合アームを押して移動する。
【０００９】
本考案の第五の目的は、前記コネクタにより、ロックを解除するために、係合アームを移動することで突起が係合アームの開口から離脱される。
【００１０】
以上の目的及び他の目的を達成するために、本考案は、フレキシブルフラットケーブルに適用されるコネクタを提供する。前記フレキシブルフラットケーブルの前縁の両側には、それぞれ１つのギャップが形成される。前記コネクタは、オスプラグと、メスソケット及び電気端子を備える。前記オスプラグは、第１の筐体及び第２の筐体を含む。前記第１の筐体は前記第２の筐体と接合されて、前記フレキシブルフラットケーブルを収容するための第１の収容空間を形成する。前記第１の筐体の１つの表面には、前記ギャップをロックするためのロック部材が形成され、前記第１の筐体の側辺には、留め具が形成される。１つの突起が前記留め具の内縁から突出される。前記メスソケットには、第２の収容空間及び係合アームが形成される。前記第２の収容空間の両側には、それぞれ前記係合アームが形成される。また、前記係合アームには、開口が形成される。前記電気端子は、一端が前記第２の収容空間に設けられ、他端が前記第２の収容空間から突出される。前記オスプラグと前記メスソケットとの接合の過程で、前記オスプラグの突起は前記係合アームに当たって、前記突起が前記開口に挿入されるまで前記係合アームを第１の位置から第２の位置までに移動させ、前記係合アームは、前記第２の位置から前記第１の位置に戻して、又は前記第１の位置から前記第２の位置に移動して、前記オスプラグを前記メスソケットから離脱する。
【００１１】
従来の技術と比較して、本考案は、オスプラグと、メスソケット及び電気端子を備えるコネクタを提供し、前記オスプラグのロック部材によってフレキシブルフラットケーブルを収容空間にロックでき、前記オスプラグの両側の留め具を介して前記メスソケットの係合アームと接合し、特に前記留め具の突起と前記係合アームの開口との作動で、前記オスプラグと前記メスソケットに対してロック及びロック解除の動きを行うことができる。
【図面の簡単な説明】
【００１２】
【図１】図１は本考案の実施例にかかるコネクタの構造を示す図である。
【図２】図２（ａ）は本考案の図１にかかるオスプラグの第１の筐体の構造を示す図である。（ｂ）は本考案の図１にかかるオスプラグの第２の筐体の構造を示す図である。
【図３】図３（ａ）は本考案の図１にかかるメスソケット及び電気端子の上面図である。（ｂ）は本考案の図１にかかるメスソケット及び電気端子の説明図である。
【図４】図４は本考案の図３（ａ）及び図３（ｂ）における係合アームの詳しい構造を示す図である。
【図５】図５は本考案の図１にかかるオスプラグがメスソケットに接合された部分的なロック解除図である。
【図６】図６は本考案の図１にかかるオスプラグがメスソケットに接合された部分的なロック図である。
【考案を実施するための形態】
【００１３】
本考案の目的、特徴及び効果を十分に理解するために、後述の実施例及び図面に基づいて、本考案を説明する。
【００１４】
本考案において、「１つ」を使用して本明細書に記載されるユニット、デバイスを説明する。特に指摘しない限り、このような説明は、１つ、少なくとも１つを含むと理解され、かつ単数も同時に複数を含む。
【００１５】
本考案において、「含む」、「備える」、「有する」の用語又は他の類似用語は、非排他的なものをカバーすることを意図している。例えば、複数の要素を含むデバイス、構造、製品又は装置は、本明細書に記載された要素だけに限定されず。
【００１６】
図１は本考案の実施例にかかるコネクタの構造を示す図である。図１において、コネクタ１０は、フレキシブルフラットケーブル（図示せず）及び回路基板（図示せず）を接続できる。また、前記フレキシブルフラットケーブルの前縁の両側には、それぞれ１つのギャップが形成される。
【００１７】
コネクタ１０は、オスプラグ１２と、メスソケット１４及び電気端子１６を備える。
【００１８】
図２（ａ）は本考案の図１にかかるオスプラグの第１の筐体の構造を示す図である。図２（ｂ）は本考案の図１にかかるオスプラグの第２の筐体の構造を示す図である。オスプラグ１２は、第１の筐体１２２及び第２の筐体１２４を含む。前記第１の筐体１２２と前記第２の筐体１２４とは一体成型された部材であってもよい、別体の部材であってもよい。また、前記第１の筐体１２２と前記第２の筐体１２４の材質とは金属であってもよい、非金属であってもよい。
【００１９】
前記第１の筐体１２２は前記第２の筐体１２４と接合して、フレキシブルフラットケーブルを収容するための第１の収容空間ＦＳＰを形成する。
【００２０】
前記第１の筐体１２２の１つの表面１２２２には、前記フレキシブルフラットケーブルのギャップをロックするためのロック部材１２２４が形成される。本実施例では、前記ロック部材１２２４は、２つの弾性片を例に説明し、ここでは第１の弾性片１２２４２及び第２の弾性片１２２４４を呼ぶ。前記第１の弾性片１２２４２を例に説明すると、前記第１の弾性片１２２４２は、一端が前記表面１２２２に接続され、自由端が前記表面１２２２から１つの角度で前記第１の収容空間ＦＳＰに向かって延び、即ち、前記第１の弾性片１２２４２の自由端が前記第１の収容空間ＦＳＰに向かって傾斜して延びる。ここで、前記第１の弾性片１２２４２の自由端と前記第２の弾性片１２２４４の自由端とは、それぞれが反対方向に延びる。前記第１の弾性片１２２４２及び前記第２の弾性片１２２４４は、前記フレキシブルフラットケーブルのギャップを制限するために使用される。前記第１の弾性片１２２４２の自由端の末端と前記第２の弾性片１２２４４の自由端の末端との間の長さは、前記ギャップの長さ以下である。
【００２１】
前記第１の筐体１２２の側辺には、留め具１２２６が形成される。また、前記留め具１２２６の内縁には、１つの突起１２２８が突出され、前記突起１２２８は、例えば三角体であってもよい、当該三角体は、底辺が前記留め具１２２６の内縁の表面に設けられ、頂角が後述の係合アーム１４２と接触されて、前記係合アーム１４２の自由端が前記第１の収容空間ＦＳＰに向かって移動する。
【００２２】
図３（ａ）は本考案の図１にかかるメスソケット１４及び電気端子１６の上面図である。図３（ｂ）は本考案の図１にかかるメスソケット１４及び電気端子１６の底面図である。前記メスソケット１４には、第２の収容空間ＳＳＰ及び係合アーム１４２が形成される。前記第２の収容空間ＳＳＰの両側には、それぞれ前記係合アーム１４２が設けられる。図４は本考案の図３（ａ）及び図３（ｂ）における係合アーム１４２の詳しい構造を示す図であり、前記係合アーム１４２には、開口１４２２が形成される。前記電気端子１６は、一端１６２が前記第２の収容空間ＳＳＰに設けられ、他端１６４が前記第２の収容空間ＳＳＰから突出される。ここで、前記係合アーム１４２の一端は前記メスソケット１４に固定される。
【００２３】
図５は本考案の図１にかかるオスプラグ１２がメスソケット１４に接合された部分的なロック解除図である。前記メスソケット１４が前記オスプラグ１２にロックされた後、係合アーム１４２は、第１の位置Ｐ１から第２の位置Ｐ２までに移動できる、例えば、Ｘ方向に前記係合アーム１４２を手動で移動する。
【００２４】
図６は本考案の図１にかかるオスプラグ１２がメスソケット１４に接合された部分的なロック図である。前記オスプラグ１２の突起１２２８は係合アーム１４２に当たって、前記突起１２２８が開口１４２２に挿入（又は落とされる）されるまで前記係合アーム１４２を先ず第１の位置Ｐ１から第２の位置Ｐ２までに移動させ、さらに前記係合アーム１４２が前記第２の位置Ｐ２から前記第１の位置Ｐ１に戻して（即ち、−Ｘ方向に移動する）、前記メスソケット１４を前記オスプラグ１２にロックする。
【００２５】
本考案の実施例を説明したが、実施例は、例として提示したものであり、考案の範囲を限定することは意図していない。実施例は、その他の様々な形態で実施されることが可能であり、考案の要旨を逸脱しない範囲で、種々の省略、置き換え、変更を行うことができる。実施例やその変形は、考案の範囲や要旨に含まれると同様に、特許請求の範囲に記載された考案とその均等の範囲に含まれるものである。
【符号の説明】
【００２６】
１０…コネクタ
１２…オスプラグ
１２２…第１の筐体
１２２２…表面
１２２４…ロック部材
１２２４２…第１の弾性片
１２２４４…第２の弾性片
１２２６…留め具
１２２８…突起
１２４…第２の筐体
１４…メスソケット
１４２…係合アーム
１４２２…開口
１６…電気端子
１６２、１６４…一端
ＦＳＰ…第１の収容空間
ＳＳＰ…第２の収容空間
Ｐ１…第１の位置
Ｐ２…第２の位置
【図１】
0003228088.tif 000003
【図２】
0003228088.tif 000004
【図３】
0003228088.tif 000005
【図４】
0003228088.tif 000006
【図５】
0003228088.tif 000007
【図６】
0003228088.tif 000008
【手続補正書】
【提出日】令和2年7月6日(2020.7.6)
【手続補正１】
【補正対象書類名】実用新案登録請求の範囲
【補正対象項目名】全文
【補正方法】変更
【補正の内容】
【実用新案登録請求の範囲】
【請求項１】
前縁の両側にはそれぞれギャップが形成されたフレキシブルフラットケーブルに適用されるコネクタであって、
前記フレキシブルフラットケーブルを収容するための第１の収容空間を形成するために接合された第１の筐体と第２の筐体とを有するオスプラグと、
第２の収容空間と係合アームとが形成されたメスソケットと、
一端が前記第２の収容空間に設けられ、他端が前記第２の収容空間から突出される電気端子と
を備え、
前記第１の筐体の表面には前記ギャップをロックするためのロック部材が形成され、前記第１の筐体の側辺には留め具が形成され、前記留め具の内縁には突起が突出され、
前記第２の収容空間の両側には、それぞれ前記係合アームが設けられ、前記係合アームには、開口が形成され、
前記オスプラグと前記メスソケットとの接合の過程で、前記オスプラグの前記突起は前記係合アームに当たって、前記突起が前記開口に挿入されるまで前記係合アームを先ず第１の位置から第２の位置までに移動させ、前記係合アームは、前記第２の位置から前記第１の位置に戻して、又は前記第１の位置から前記第２の位置に移動して、前記オスプラグを前記メスソケットから離脱させることを特徴とするコネクタ。
【請求項２】
前記ロック部材は弾性片であり、
前記弾性片は、一端が前記表面に接続され、自由端が前記表面から１つの角度で前記第１の収容空間に向かって延びることを特徴とする請求項１に記載のコネクタ。
【請求項３】
前記弾性片は、第１の弾性片と第２の弾性片の２つの弾性片であり、
前記第１の弾性片の自由端と前記第２の弾性片の自由端とは、それぞれが反対方向に延びることを特徴とする請求項２に記載のコネクタ。
【請求項４】
前記第１の弾性片の自由端と前記第２の弾性片の自由端とは、それぞれが前記ギャップを制限することを特徴とする請求項３に記載のコネクタ。
【請求項５】
前記第１の弾性片の自由端の末端と前記第２の弾性片の自由端の末端との間の長さは、ギャップの長さ以下であることを特徴とする請求項３に記載のコネクタ。
【請求項６】
前記係合アームの一端は前記メスソケットに固定されることを特徴とする請求項１に記載のコネクタ。
【請求項７】
前記突起は三角体であり、
前記三角体は、底辺が前記留め具の内縁の表面に設けられることを特徴とする請求項６に記載のコネクタ。
【請求項８】
前記三角体は、頂角が前記係合アームと接触されて、前記係合アームの自由端が前記第１の収容空間に向かって移動することを特徴とする請求項７に記載のコネクタ。
【請求項９】
前記メスソケットの両側における前記係合アームの自由端は、前記第１の収容空間に向かって移動する時に、前記突起が前記開口からロック解除されることを特徴とする請求項１に記載のコネクタ。
【請求項１０】
前記第１の筐体と前記第２の筐体とは、一体成型された部材であってもよい、別体の部材であってもよいことを特徴とする請求項１に記載のコネクタ。